(57)【要約】【課題】本発明は、実験動物の飼養設備のガス供給装置を提供する。【解決手段】前記ガス供給装置は、枠組み１を有し、前記枠組みには支柱により複数の収納空間１４が構成されると共に実験動物飼養用の容器２が納置される。枠組み１には吸気用のメインパイプ４１及び抽気用のメインパイプ４２からなるガス供給用のパイプ４が設けられ、２本のメインパイプ間には吸気用の側管４１１及び抽気用の側管４２１がそれぞれ設けられ、各支管の各収納空間１４に対応する箇所には連結口４３がそれぞれ設けられ、容器２に空気が供給される。ガス供給用のパイプ４にはガス供給量を調整させる調節装置６が設置され、各容器２には同じ量の空気が供給される。【選択図】図１
2014176381.tif 000002
【特許請求の範囲】
【請求項１】
複数の支柱に区切られた複数の収納空間が形成される枠組みと、
前記枠組みに設けられ、外部の空気ろ過器と共に循環を構成させ、吸気用のメインパイプ及び抽気用のメインパイプからなり、２本のメインパイプの間には吸気用の側管及び抽気用の側管が設置され、前記吸気用の側管は前記吸気用のメインパイプに連通され、前記抽気用の側管は前記抽気用のメインパイプに連通され、前記吸気用の側管及び前記抽気用の側管の各前記収納空間に対応する箇所には孔部がそれぞれ設けられ、各前記孔部には連結口が設けられ、各前記吸気用の側管及び各前記抽気用の側管にはガス供給量を調整させる調節装置が設置されるガス供給用のパイプを備え、
各前記収納空間には実験動物飼養用の容器がそれぞれ納置され、各前記容器の後側には各前記収納空間の前記吸気用の側管及び前記抽気用の側管の連結口にそれぞれ連設される２つの換気口が設けられることを特徴とする実験動物の飼養設備のガス供給装置。
【請求項２】
前記吸気用の側管の前記抽気用のメインパイプに近接する一端には封管用のカバーが設けられ、前記抽気用の側管の前記吸気用のメインパイプに近接する一端にも封管用のカバーが設けられることを特徴とする、請求項１に記載の実験動物の飼養設備のガス供給装置。
【請求項３】
前記調節装置は各前記吸気用の側管及び各前記抽気用の側管の各前記連結口に対応する箇所にそれぞれ１つずつ設置され、且つ前記調節装置は各管路の気流の方向の各連結口の上流に対応する箇所に設置されることを特徴とする、請求項１に記載の実験動物の飼養設備のガス供給装置。
【請求項４】
前記調節装置は前記ガス供給用のパイプから延入される軸桿を有し、前記軸桿の管路から延入する部分には前記軸桿に連動して回転し徐々に管路を封管する羽根が設けられると共に管路を通過する空気量の調整に用いられ、前記軸桿の管路外に位置する部分には固定装置が設置され、前記軸桿の回転角度を調整後に前記軸桿は管路に固定されることを特徴とする、請求項１に記載の実験動物の飼養設備のガス供給装置。
【請求項５】
前記吸気用のメインパイプ及び前記抽気用のメインパイプの内の何れか１つは前記枠組みの上方に設置され、他の１つは前記枠組みの下方に設置されることを特徴とする、請求項１に記載の実験動物の飼養設備のガス供給装置。
【発明の詳細な説明】
【技術分野】
【０００１】
本発明は、飼養設備を提供し、空気を供給するガス装置に関する。
【背景技術】
【０００２】
従来から、飼養実験動物の容器を納置するための枠組みは、空気を各容器に供給するガス供給用のパイプが幅広く知られている。（例えば、特許文献１参照）。
【先行技術文献】
【特許文献】
【０００３】
【特許文献１】台湾特許出願公開第５３６３８１号明細書
【発明の概要】
【発明が解決しようとする課題】
【０００４】
しかしながら、前述した従来の技術では、前記枠組みに納置される容器が多く、ガス供給用のパイプを非常に長く延伸させねばならず、管路の末端の気圧不足に陥る。ガス供給量不足の状態では、飼養している実験動物に問題が起こり、死に至ることもある。
【０００５】
そこで、本発明者は上記の欠点が改善可能と考え、鋭意検討を重ねた結果、合理的設計で上記の課題を効果的に改善する本発明の提案に到った。
【０００６】
本発明は、このような従来の問題に鑑みてなされたものである。上記課題解決のため、本発明は、実験動物の飼養設備のガス供給装置を提供することを主目的とする。
【課題を解決するための手段】
【０００７】
上述した課題を解決し、目的を達成するために、本発明に係る実験動物の飼養設備のガス供給装置は、
複数の支柱に区切られた複数の収納空間が形成される枠組みと、
前記枠組みに設けられ、外部の空気ろ過器と共に循環を構成させ、吸気用のメインパイプ及び抽気用のメインパイプからなり、２本のメインパイプの間には吸気用の側管及び抽気用の側管が設置され、前記吸気用の側管は前記吸気用のメインパイプに連通され、前記抽気用の側管は前記抽気用のメインパイプに連通され、前記吸気用の側管及び前記抽気用の側管の各前記収納空間に対応する箇所には孔部がそれぞれ設けられ、各前記孔部には連結口が設けられ、各前記吸気用の側管及び各前記抽気用の側管にはガス供給量を調整させる調節装置が設置されるガス供給用のパイプを備え、
各前記収納空間には実験動物飼養用の容器がそれぞれ納置され、各前記容器の後側には各前記収納空間の前記吸気用の側管及び前記抽気用の側管の連結口にそれぞれ連設される２つの換気口が設けられることを特徴とする。
【発明の効果】
【０００８】
本発明によれば、ガス供給用のパイプに設けられる調節装置により各飼養容器に供給される空気の圧力を調整させ、各容器に供給される空気量を一定化させることで、各容器内の実験動物の良好な成長環境の維持が得られる。
【図面の簡単な説明】
【０００９】
【図１】本発明の一実施形態に係るに係る実験動物の飼養設備のガス供給装置を説明する概略図である。
【図２】本発明の一実施形態に係るに係る実験動物の飼養設備のガス供給装置をほかの角度から説明する概略図である。
【図３】本発明の一実施形態に係るに係る実験動物の飼養設備のガス供給装置を説明する一部の傾斜図である。
【図４】本発明の一実施形態に係るに係る実験動物の飼養設備のガス供給装置を説明する一部の傾斜の組合せ図である。
【図５】同上、図１Ａを説明する一部拡大図である。
【図６】同上、図１Ａの他の実施形態を説明する断面拡大図である。
【発明を実施するための形態】
【００１０】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
＜第１実施形態＞
【００１１】
図１及び図２は本発明の第１実施形態に係る実験動物の飼養設備のガス供給装置であり、枠組み１を備える。前記枠組み１には複数の直立の支持柱１１に区切られる少なくとも１つの直列式ユニット１２が形成され、各直列式ユニット１２の両側には上から下に配列されると共に対称に設置される横方向の支持柱１３がそれぞれ設けられる。また各直列式ユニット１２の各組の横方向の支持柱１３に区切られる収納空間１４がそれぞれ形成され、実験動物飼養用の容器２がその上に載架される。本実施形態では、各横方向の支持柱１３は中空であり且つ嵌入孔１３１が形成され、各横方向の支持柱１３にはパット部３がそれぞれ設けられ、前記容器２の両側の凸部２１は前記パット部３に当接されて収納空間１４内に定位される（図３及び図４参照）。また、前記パット部３の底端の前側には後に延伸される嵌合部材３１が設けられ、前記パット部３は嵌合部材３１により横方向の支持柱１３の嵌入孔１３１に嵌入され、横方向の支持柱１３に固定される。前記パット部３の左右両側の底端からは鉤爪状の位置決め部３２が各々延出され、下に向け横方向の支持柱１３に係合され、前記パット部３の横方向の支持柱１３に固定される定位効果を更に高める。前記パット部３の前後両側の頂端には上に向けストッパー３３が各々延設され、前記容器２の凸部２１がパット部３に当接されることで収納空間１４内に収納されると、容器２の凸部２１はパット部３の前後のストッパー３３に係止され、位置限定効果が形成され、容器２が収納空間１４内から脱落するのを防ぐ。
【００１２】
図１によれば、前記枠組み１にはガス供給用のパイプ４が設置され、各収納空間１４内の容器２に空気が供給される。前記ガス供給用のパイプ４は外部の空気ろ過器５と共に循環を構成させ、前記ガス供給用のパイプ４は吸気用のメインパイプ４１及び抽気用のメインパイプ４２を備え、前記のメインパイプの内の何れか１つは前記枠組み１の上方に設けられ、他の１つは前記枠組み１の下方に設けられる。２本のメインパイプ４１及びメインパイプ４２の間の各直列式ユニット１２に対応する箇所には吸気用の側管４１１及び抽気用の側管４２１がそれぞれ設けられ（図５参照）、前記吸気用の側管４１１は前記吸気用のメインパイプに連通され（図示せず）、前記吸気用の側管４１１の前記抽気用のメインパイプ４２に近接する一端は封管に用いられる。前記抽気用の側管４２１は前記抽気用のメインパイプ４２に連通され、前記抽気用の側管４２１の前記吸気用のメインパイプに近接する一端は封管に用いられる（図示せず）。
＜第２実施形態＞
【００１３】
図６を参照しながら、本発明の第２実施形態を説明する。前記吸気用の側管４１１の前記抽気用のメインパイプ４２に近接する一端には封管用のカバー４１２が設けられ、前記抽気用の側管４２１の前記吸気用のメインパイプに近接する一端にも封管用のカバーが設けられる（図示せず）。また、図３及び図４に示すように、前記吸気用の側管４１１及び前記抽気用の側管４２１の各収納空間１４に対応する箇所には孔部４４がそれぞれ設けられ、各孔部４１３には連結口４３が設けられる。前記連結口４３は前記吸気用の側管４１１或いは抽気用の側管４２１に連通される通路４３１を有し、前記容器２の後側には吸気用の側管４１１及び抽気用の側管４２１の連結口４３にそれぞれ連設される２つの換気口２２が設けられ、空気は前記連結口４３を経由し吸気用の側管４１１から容器２に進入するか、或いは容器２から抽気用の側管４２１に進入する。
【００１４】
さらに、前記ガス供給用のパイプ４にはガス供給量を調整させる調節装置６が設けられ、図５に示すように、前記調節装置６はガス供給用のパイプから延入される軸桿６１を有し、前記軸桿６１が延入される管路中の部分には対になる羽根６２が設けられ、これら前記羽根６２の面積は管路の断面積に等しい。これら前記羽根６２は軸桿６１に連動されて回転されると共に徐々に管路を封管させ、これにより管路中を通過する空気量が調整される。前記軸桿６１の管路外に位置する部分には固定装置６３が設置され、羽根６２の回転角度を調整後に前記軸桿６１が管路に固定される。前記固定装置６３は前記軸桿６１に固設される固定用部材６３１を備え、前記軸桿６１の外端には強制固定用部材６３２が螺設され、前記強制固定用部材６３２が螺合されることで前記固定用部材６３１は前記軸桿６１の軸方向に管路の外壁に緊結される。前記固定用部材６３１には前記軸桿６１に連通されるねじ穴６３３が設けられ、前記ねじ穴６３３にはねじ６３４が螺設され、前記ねじ６３４が螺入すると前記ねじ６３４は前記軸桿６１に緊結され、前記軸桿６１の回転角度が固定される。
【００１５】
上述したように、前記調節装置６は前記枠組み１のガス供給用のパイプ４に設置され、且つ前記調節装置６は前記吸気用のメインパイプ４１及び抽気用のメインパイプ４２に設置され、また各吸気用の側管４１１及び各抽気用の側管４２１に設置される。本実施形態では、前記調節装置６は各吸気用の側管４１１及び各抽気用の側管４２１の各連結口４３に対応する箇所にそれぞれ１つずつ設けられる。前記調節装置６は各管路の気流の方向の各連結口４３の上流に対応する箇所に設置され、各調節装置６は対応する連結口４３をそれぞれ直接的に制御させ、各収納空間１４の各容器２内の空気供給量を精細に調整させ、管路の末端の空気供給量が不足し飼養される動物の死亡に繋がる問題を回避させる。
【００１６】
以上、本発明の実施形態について図面を参照して詳述したが、具体的な構成はこの実施形態に限られるものではなく、本発明の要旨を逸脱しない範囲の設計変更等も含まれる。
【符号の説明】
【００１７】
１ 枠組み
１１ 直立の支持柱
１２ 直列式ユニット
１３ 横方向の支持柱
１３１ 嵌入孔
１４ 収納空間
２ 容器
２１ 凸部
２２ 換気口
３ パット部
３１ 嵌合部材
３２ 位置決め部
３３ ストッパー
４ ガス供給用のパイプ
４１ 吸気用のメインパイプ
４１１ 吸気用の側管
４１２ 封管用のカバー
４２ 抽気用のメインパイプ
４２１ 抽気用の側管
４３ 連結口
４４ 孔部
５ 空気ろ過器
６ 調節装置
６１ 軸桿
６２ 羽根
６３ 固定装置
６３１ 固定用部材
６３２ 強制固定用部材
６３３ ねじ穴
６３４ ねじ
【図１】
2014176381.tif 000003
【図２】
2014176381.tif 000004
【図３】
2014176381.tif 000005
【図４】
2014176381.tif 000006
【図５】
2014176381.tif 000007
【図６】
2014176381.tif 000008